(57)【要約】【課題】変位部材を介在させない打撃と介在させた打撃とを操作によって選択可能にして、簡単な構成で、打撃音色を変化させる。【解決手段】左右のアーム７６間の支持板７７上には、介在部材７８の基部７８ａが固定され、基部７８ａより前方に揺動部７８ｂが形成される。操作レバー７２を前後に操作すると、アーム７６が回動軸７９を中心に前後に回動し、それによって、揺動部７８ｂの位置も前後に変位する。アーム７６が最後端の位置にあるときは、揺動部７８ｂが、打撃部２４と音板３０との間には介在せず、打撃部２４が音板３０を直接打撃する。一方、アーム７６が最前端の位置にあるときは、揺動部７８ｂが打撃部２４と音板３０との間に介在し、押鍵操作により、打撃部２４は揺動部７８ｂを介して間接的に音板３０を打撃する。【選択図】図１
2007225784.tif 000002
【特許請求の範囲】
【請求項１】
鍵盤を構成する複数の鍵と、
打撃されることで各々固有の音高の楽音を発音する複数の音板と、
前記複数の各鍵と前記複数の各音板とに対応して配設され、対応する鍵の押鍵操作によって駆動される複数の打撃部（２４）と、
前記鍵と前記打撃部との間に介在する位置と前記鍵と前記打撃部との間に介在しない位置との間を変位可能に配設され、前記打撃部とは材質及び硬さの異なる材料で構成された変位部材（７８、１７８、２７８、３７８）と、
操作により前記変位部材を変位させる操作部（７２、８５）とを有し、
前記変位部材が前記鍵と前記打撃部との間に介在していない状態で前記打撃部が駆動されたときは、対応する音板が前記打撃部によって直接打撃される一方、前記変位部材が前記鍵と前記打撃部との間に介在している状態で前記打撃部が駆動されたときは、対応する音板が前記打撃部によって前記変位部材を介して間接的に打撃されるように構成されたことを特徴とする鍵盤式音板打楽器。
【請求項２】
前記変位部材は、前記鍵と前記打撃部との間に介在する位置と前記鍵と前記打撃部との間に介在しない位置との間を進退移動可能なように構成され、且つ、前記変位部材（２７８、３７８）は、板状であって進退方向において厚みが異なるように構成され、前記各音板が対応する打撃部によって前記変位部材を介して間接的に打撃されたとき、前記変位部材のうち前記鍵と前記打撃部との間に介在する部分の厚みの違いにより打撃音色が異なるように構成されたことを特徴とする請求項１記載の鍵盤式音板打楽器。
【発明の詳細な説明】
【技術分野】
【０００１】
本発明は、押鍵操作に応じて打撃部によって音板が打撃されて発音する鍵盤式音板打楽器に関する。
【背景技術】
【０００２】
従来、音板等の発音体に対応するハンマアクション等の打撃部を備え、押鍵操作によって、打撃部が対応する発音体を打撃することで、その発音体固有の音高の楽音を発音するように構成された鍵盤式音板打楽器等の打楽器が知られている。また、特に、発音体を打撃して発音するものにおいて、音色を可変とした打楽器も知られている（下記特許文献１）。
【０００３】
この打楽器では、ハンマに、音棒３１の軸方向と直交する方向に沿って、硬度の異なる複数のヘッドを配設し、ハンマを音棒３１に対して相対移動させることで、音棒３１を実際に打撃するヘッドによって音色が異なるように構成している。
【特許文献１】特開平５−１２７６６６号公報
【発明の開示】
【発明が解決しようとする課題】
【０００４】
しかしながら、上記特許文献１の打楽器では、ハンマの幅は広くないため、ハンマにおける複数のヘッドの配設位置には高い精度が必要である。しかも、ハンマに細かいヘッドを埋め込む必要があるため、構成が複雑で、製造が容易でない。
【０００５】
ちなみに、アコースティックピアノにおいて、弦とハンマとの間にマフラーフェルトを挿抜可能に配設し、マフラーフェルトを弦とハンマとの間に介在させて押鍵すると、マフラーフェルトを介して弦が打撃されるようにしたものがある。しかし、このようなピアノにおいては、マフラーフェルトは、ハンマに設けられたハンマフェルトと同じ素材で構成されるものであって、音量低減を目的として設けられるものであり、音色変化を目的とするものではない。
【０００６】
本発明は上記従来技術の問題を解決するためになされたものであり、その目的は、変位部材を介在させない打撃と介在させた打撃とを操作によって選択可能にして、簡単な構成で、打撃音色を変化させることができる鍵盤式音板打楽器を提供することにある。
【課題を解決するための手段】
【０００７】
上記目的を達成するために本発明の請求項１の鍵盤式音板打楽器は、鍵盤を構成する複数の鍵と、打撃されることで各々固有の音高の楽音を発音する複数の音板と、前記複数の各鍵と前記複数の各音板とに対応して配設され、対応する鍵の押鍵操作によって駆動される複数の打撃部（２４）と、前記鍵と前記打撃部との間に介在する位置と前記鍵と前記打撃部との間に介在しない位置との間を変位可能に配設され、前記打撃部とは材質及び硬さの異なる材料で構成された変位部材（７８、１７８、２７８、３７８）と、操作により前記変位部材を変位させる操作部（７２、８５）とを有し、前記変位部材が前記鍵と前記打撃部との間に介在していない状態で前記打撃部が駆動されたときは、対応する音板が前記打撃部によって直接打撃される一方、前記変位部材が前記鍵と前記打撃部との間に介在している状態で前記打撃部が駆動されたときは、対応する音板が前記打撃部によって前記変位部材を介して間接的に打撃されるように構成されたことを特徴とする。
【０００８】
好ましくは、前記変位部材は、前記鍵と前記打撃部との間に介在する位置と前記鍵と前記打撃部との間に介在しない位置との間を進退移動可能なように構成され、且つ、前記変位部材（２７８、３７８）は、板状であって進退方向において厚みが異なるように構成され、前記各音板が対応する打撃部によって前記変位部材を介して間接的に打撃されたとき、前記変位部材のうち前記鍵と前記打撃部との間に介在する部分の厚みの違いにより打撃音色が異なるように構成される（請求項２）。
【０００９】
なお、上記括弧内の符号は例示である。
【発明の効果】
【００１０】
本発明の請求項１によれば、変位部材を介在させない打撃と介在させた打撃とを操作によって選択可能にして、簡単な構成で、打撃音色を変化させることができる。
【００１１】
請求項２によれば、変位部材の位置によって、介在する部分の厚みが異なるようにして、多種類の打撃音色変化を実現することができる。
【発明を実施するための最良の形態】
【００１２】
以下、本発明の実施の形態を図面を参照して説明する。
【００１３】
図１は、本発明の第１の実施の形態に係る鍵盤式音板打楽器である鍵盤楽器の上半部の内部構成を示す断面図である。概略を述べると、この鍵盤楽器１０は、鍵盤式音板打楽器として構成され、外観上は、アップライトピアノのようであるが、弦を備えない。その代わり、鍵盤楽器１０の上半部１０ａ内にチェレスタの音板と同様の音板を備え、該音板を打撃、振動させて発音させるものであり、音板が発音した音を共鳴させる共鳴箱も備える。また、音板を打撃するための機構として、アップライトピアノではなくグランドピアノ用のアクション機構と同様の機構を備える。以降、鍵盤楽器１０の奏者側を前方と称し、左右方向は奏者を基準として呼称する。
【００１４】
図１に示すように、上半部１０ａの下部の棚板１４の上には筬１５が配置され、筬１５の前部に筬前１６が設けられる。筬１５には、支持部材１９が設けられ、支持部材１９に設けられたバランスピン６２、６３を支点として、鍵盤ＫＢの複数の白鍵２７及び黒鍵２８が上下方向に揺動（シーソー運動）自在に支持される。筬前１６の前部を口棒部１７が全鍵幅に亘って覆っている。
【００１５】
また、筬１５の後半部上部には、アクションブラケット２２を介してアクション機構２０が配設される。アクションブラケット２２及びアクション機構２０は、各鍵２７、２８に対応して配列され、アクション機構２０は、グランドピアノのアクション機構と同様の構成を有する。さらに、これらアクション機構２０の上方には、木製の共鳴箱５０及び複数の音板３０（音板群３０Ｇ）を備えてなる音源ユニットＵＮＴが配設される。音板３０は、各鍵２７、２８に対応して設けられる。対応する鍵２７、２８の押鍵操作によって回動中心２３ａを中心にハンマ体２３が上方に回動し、対応する音板３０を打撃部２４が打撃することで、その音板３０が振動して発音し、その音が共鳴箱５０で共鳴する。アクション機構２０の下方において、棚板１４には、放音用穴１４ａが設けられている。
【００１６】
鍵盤楽器１０の下部にはダンパペダル１２が設けられている。また、各鍵２７、２８の後端上方には、回動部材６４が各鍵２７、２８に対応して設けられ、各回動部材６４には、ダンパワイヤ２５を介してダンパフェルト２６が設けられている。ダンパペダル１２には、ペダル連結棒１３が連結されている。ダンパペダル１２を踏むと、ペダル連結棒１３、全ダンパワイヤ２５を介して全ダンパフェルト２６が持ち上がる。ダンパペダル１２が踏まれていない状態では、ダンパフェルト２６は、対応する音板３０の後端部上面に当接している。押鍵されると、対応するダンパワイヤ２５を介してダンパフェルト２６が音板３０から離間する。
【００１７】
また、上半部１０ａ内には、変音機構７０が設けられている。詳細は後述するように、変音機構７０は、主として操作レバー７２、進退ロッド７３、回動アーム７６、介在部材７８等で構成される。
【００１８】
図２は、上半部１０ａの内部構成を示す正面図である。図３は、上半部１０ａの右側部の部分拡大正面図である。図４は、変音機構７０の要部の右側面図である。
【００１９】
図２に示すように、鍵盤楽器１０の左右両側部を構成する側板１８Ｌ、１８Ｒの内側には、支持部２９Ｌ、２９Ｒが固定されている。音源ユニットＵＮＴの共鳴箱５０の左右両端部が支持部２９Ｌ、２９Ｒの上に不図示のネジで螺合固定されることで、音源ユニットＵＮＴが上半部１０ａ内に収容されている。
【００２０】
音板群３０Ｇは、鍵数分の音板３０からなる。音板３０は、各々その長手方向を前後方向として、左右方向に並列的に配設されている。音板３０は、いずれも断面矩形であるが、その全長等の形状が個々に異なっており、対応する打撃部２４によって打撃されて振動して、各々固有の音高で発音するようになっている。音板３０は、隣接する固有の音高を有するもの同士が隣接して位置する。
【００２１】
図４に示すように、各音板３０の長手方向両端部には、連結ひも４４（図２も参照）を通すための支持穴が形成されており、共鳴箱５０の下面には、連結ひも４４に係止されるための係止部を有する多数の留め具４０が取り付けられる。図２に示すように、各音板３０は、共鳴箱５０に対して、連結ひも４４と多数の留め具４０とを介して、振動可能に吊り下げ状態で取り付けられている。
【００２２】
図１〜図３に示すように、棚板１４の左端部における前部下面には、ロッド支持部７１が固定されている。進退ロッド７３は、頑強な金属で構成され、前端部がロッド支持部７１で支持される。進退ロッド７３の前端には、手動操作される操作レバー７２が取り付けられている。また、図１に示すように、進退ロッド７３におけるロッド支持部７１の前後の位置には、ストッパ８０、８１が固定されている。ストッパ８０、８１は、進退ロッド７３の前後移動において、ロッド支持部７１と当接して、進退ロッド７３の最前端位置、最後端位置をそれぞれ規定する。進退ロッド７３とロッド支持部７１との間には適当な摩擦が生じるようになっており、ストッパ８０、８１がロッド支持部７１と当接した状態で進退ロッド７３の位置が維持されるようになっている。あるいは、進退ロッド７３を最前端位置、最後端位置で保持するためのロック機構を設けてもよい。
【００２３】
進退ロッド７３は、ロッド支持部７１の直ぐ後方の部分で上方に屈曲し、側面視で「ヘ」字状を呈して、打撃部２４の近傍まで後方上方に延びている（図１参照）。図３に示すように、進退ロッド７３の後端部には、長さ調整具７４を介してアーム支持棒７５が連結されている。操作レバー７２の前後操作によって、進退ロッド７３がロッド支持部７１に対して前後方向に摺動し、それによって、進退ロッド７３、長さ調整具７４及びアーム支持棒７５の全体が前後方向に進退移動するようになっている。長さ調整具７４によって、アーム支持棒７５の進退ロッド７３に対する長手方向における固定位置を調節することができる。
【００２４】
図２に示すように、側板１８Ｌ、１８Ｒの内側にはそれぞれ、回動軸７９が設けられると共に、各回動軸７９を中心に回動自在なアーム７６が設けられる（図４も参照）。図４に示すように、左右のアーム７６間に亘って金属または樹脂等の連結部材８２が配設され、この連結部材８２を介して、左右のアーム７６が各回動軸７９を中心に連動して回動するようになっている。また、連結部材８２の前部上部には、金属または樹脂等の支持板７７が、左右のアーム７６間に亘って配設される。
【００２５】
また、支持板７７上には、一様な厚みを有する薄板状の介在部材７８が設けられる。介在部材７８の基部７８ａが支持板７７の上面に貼着等で固定されている。介在部材７８は、基部７８ａより前方に延出する部分が、打撃部２４に対応して前後方向に（のれん状に）切れていて、各打撃部２４に対応する揺動部７８ｂが形成されている（図２、図３も参照）。各揺動部７８ｂは、自然状態ではやや下方に垂れ下がっているが、独自に、軽い力で上方に揺動自在となっている。
【００２６】
図３に示すように、アーム支持棒７５は、その後部が右方に屈曲した軸部７５ａとなっており、左側のアーム７６は、軸部７５ａに回動自在に支持されている。従って、アーム支持棒７５が前後移動すると、左側のアーム７６が前後に付勢され、右側のアーム７６と共に回動軸７９を中心に前後に回動する。それによって、介在部材７８の位置も前後に変位する。
【００２７】
ここで、図４に示すように、アーム７６が、回動可能な範囲における最後端の位置（７６−Ａで示す位置）にあるときは、介在部材７８の揺動部７８ｂが、打撃部２４と音板３０との間には介在しない。従って、押鍵操作により、打撃部２４が音板３０を直接打撃する。一方、アーム７６が、回動可能な範囲における最前端の位置にあるときは、介在部材７８の揺動部７８ｂが、打撃部２４と音板３０との間に介在する。従って、この場合は、押鍵操作により打撃部２４が駆動されると、打撃部２４は、揺動部７８ｂを介して間接的に音板３０を打撃する。すなわち、押鍵された鍵に対応する打撃部２４が、対応する揺動部７８ｂと当接し、該揺動部７８ｂが上方に揺動して打撃部２４と音板３０とに挟まれる形で、打撃がなされる。
【００２８】
ここで、打撃部２４は、少なくとも音板３０を打撃する部分が、樹脂または鹿の角等を素材とした材料で構成される。従って、音板３０が直接打撃されたときは、一般的なグロッケンシュピールのような堅めの音色の楽音が発生する。一方、介在部材７８は、少なくとも打撃時に打撃部２４と音板３０との間に介在する部分が、フェルト材で構成され、打撃部２４とは材質が異なり、硬度も低い。従って、音板３０が介在部材７８を介して間接的に打撃されたときは、柔らかい音になる。すなわち、介在部材７８の介在／非介在によって、音板３０の発音音色を変化させることができる。
【００２９】
本実施の形態によれば、打撃部２４とは材質及び硬さの異なる介在部材７８を、操作により進退移動可能に構成して、打撃部２４と音板３０との間に対して介在する位置と介在しない位置とに変位させ、打撃部２４による音板３０の直接打撃と間接打撃とを選択できるようにした。これにより、簡単な構成で、打撃音色を変化させることができ、演奏表現を豊かにすることができる。
【００３０】
（第２の実施の形態）
上記第１の実施の形態では、手動操作によってアーム７６を駆動したが、本発明の第１の実施の形態では、ペダル操作によって駆動する。
【００３１】
図５は、第２の実施の形態における変音機構の概略構成を示す右側面図である。同図に示すように、アーム７６及び介在部材７８の構成は第１の実施の形態のものと同様である。アーム７６には、ワイヤ８４の一端が連結されている。ワイヤ８４は、鍵盤楽器１０の所定位置に固定されたワイヤケース８３内を通って下方まで延びている。また、鍵盤楽器１０において、上記したダンパペダル１２の近傍には、アーム７６の駆動用の音色可変ペダル８５が設けられ、ワイヤ８４の他端が音色可変ペダル８５に連結されている。
【００３２】
音色可変ペダル８５は、ペダルケース８６内において、不図示のスプリング等で常に上方に付勢されている。音色可変ペダル８５は、足で踏まれることで下方に移動し、離すと上方に復帰する。また、音色可変ペダル８５は、下端位置に到達したときに左方に付勢されると、その不図示の係合部がペダルケース８６の段差部８６ａに係止状態となって、押下状態が維持されるようになっている。
【００３３】
かかる構成において、音色可変ペダル８５が踏まれていない初期状態では、アーム７６は最後端の位置にあって、揺動部７８ｂが、打撃部２４と音板３０との間には介在しない。一方、音色可変ペダル８５が押下されると、アーム７６がワイヤ８４に引っ張られ、回動軸７９を中心に前方に回動して最前端の位置に到達し、それによって、揺動部７８ｂが、打撃部２４と音板３０との間に介在するようになる。
【００３４】
従って、奏者は、音色を柔らかい方向に変化させたい場合は、音色可変ペダル８５を下端位置まで押下して押鍵すればよい。しかも、その状態を継続したい場合は、音色可変ペダル８５を左方に足で移動させて、ペダルケース８６の段差部８６ａに係止し、下端位置に維持させればよく、足を離しても音色変化状態は継続する。音色可変ペダル８５を右方に移動させてペダルケース８６の段差部８６ａによる係止を解いて、足を緩めれば、アーム７６が初期位置に復帰して、音色が元に戻る。
【００３５】
本実施の形態によれば、第１の実施の形態と同様の効果を奏する。それだけでなく、音色可変操作を足で行えるので、演奏中における任意の部分だけ音色を変化させることが容易となって、演奏表現が一層豊かになる。
【００３６】
なお、上記第１、第２の実施の形態において、打撃部２４と音板３０との間に介在させる部材は、一様な厚みを有する板状の介在部材７８であったが、次に例示するように、これに限るものではない。また、材質もフェルトに限るものではない。
【００３７】
図６（ａ）〜（ｃ）は、打撃部２４と音板３０との間に介在させる介在部材の変形例を示す図である。まず、同図（ａ）に示すように、介在部材１７８を、介在部材７８と同様の材質で構成し、且つ、介在部材７８の揺動部７８ｂに相当する部分を、複数（例えば３）段階に厚みを異ならせて構成する。すなわち、介在部材１７８の第１部１７８ａ、第２部１７８ｂ、第３部１７８ｃの順に薄くなっていくように構成する。さらに、介在部材１７８の駆動機構としては、第２の実施の形態で例示した構成のように、音色可変ペダル８５を採用する。そして、音色可変ペダル８５の押下ストロークにおいて、任意の深さで足を止めることで、アーム７６の前後方向の位置を奏者の意思で任意位置に調節可能に構成する。
【００３８】
すなわち、音色可変ペダル８５の押下深さによって、介在部材１７８のうち打撃部２４と音板３０との間に介在する部分が、各部１７８ａ〜１７８ｃのうちいずれとなるかを、奏者の操作で制御できるようにする。打撃部２４が、介在部材１７８を介して音板３０を間接的に打撃する際、各部１７８ａ〜１７８ｃの厚みの違いによって、介在時における音色が３段階に異なり、最も厚い第３部１７８ｃが介在したときに最も柔らかい音色となる。
【００３９】
また、介在部材の厚みを段階的に異ならせるのではなく、図６（ｂ）に示すように、介在部材２７８の厚みを、前方にいくほど徐々に薄くなるように形成してもよい。この場合は、音色可変ペダル８５の押下深さに応じて、音色も徐々に異なることになり、音色の一層細かな可変制御が可能となる。
【００４０】
このように、図６（ａ）、（ｂ）の構成によれば、進退方向に厚みの異なる介在部材の進退駆動により、多種類の打撃音色変化を実現することができる。
【００４１】
なお、第１、第２の実施の形態では、打撃部２４を樹脂等で構成し、介在部材７８を、打撃部２４よりも硬度の低いフェルト材で構成したが、音色を変化させる観点からは、両者の材質及び硬度が異なっていればよく、材質の選定は各種考えられ、硬さ関係も逆としてもよい。従って、打撃部２４の音板３０を打撃する部分をフェルト等の柔らかい材料で構成する一方、介在部材をそれよりも硬い材料で構成してもよい。
【００４２】
その場合、例えば、図６（ｃ）に示すように、介在部材３７８を、揺動部３７８ａと、揺動部３７８ａの先端上面に配設した板体３７８ｂとで構成する。揺動部３７８ａは、鋼等で板バネ状に形成される。板体３７８ｂは、真ちゅう等の硬い材料で構成され、実際に音板３０に当接するような箇所に配設される。このように構成した場合は、第１、第２の実施の形態とは逆に、音板３０の直接打撃では硬い音色となり、間接的打撃では、硬い音色となる。なお、打撃部２４と介在部材のうち、柔らかい方の素材としては、フェルトに限られず、ゴム等の弾性部材であってもよい。
【００４３】
なお、打撃部２４と音板３０との間に介在／非介在させる介在部材を変位させる構成は、上記したものに限られない。すなわち、アーム７６の回動による変位に限られず、介在部材のスライド移動によって変位させる構成であってもよい。あるいは、介在部材をロール状に巻いて、巻き上げ／展開することで、少なくとも介在／非介在となる部分が変位するように構成してもよい。
【００４４】
なお、上記第１、第２の実施の形態では、介在部材７８の揺動部７８ｂは各打撃部２４に対応して形成されたが、これに限るものではない。例えば、介在部材７８が最前端位置にあるとき、揺動部７８ｂを音板３０に対して極めて近接するように位置させるようにすれば、揺動部７８ｂは、横方向に長く、且つ複数の音板３０または全音板３０に共通のものとして構成してもよい。また、そのように構成する場合は、揺動部７８ｂを横方向にロール状に巻いて、巻き上げ／展開することで、変位させるように構成してもよい。
【００４５】
なお、本発明は、グロッケンシュピールに好適である。
【図面の簡単な説明】
【００４６】
【図１】本発明の第１の実施の形態に係る鍵盤式音板打楽器である鍵盤楽器の上半部の内部構成を示す断面図である。
【図２】上半部の内部構成を示す正面図である。
【図３】上半部の右側部の部分拡大正面図である。
【図４】変音機構の要部の右側面図である。
【図５】本発明の第２の実施の形態における変音機構の概略構成を示す右側面図である。
【図６】打撃部と音板との間に介在させる介在部材の変形例を示す図である（図（ａ）〜（ｃ））。
【符号の説明】
【００４７】
ＫＢ  鍵盤、  ２４  打撃部、  ２７  白鍵、  ２８  黒鍵、  ３０  音板、  ７０  変音機構、  ７２  操作レバー（操作部）、  ７８、１７８、２７８、３７８  介在部材（変位部材）、  ８５  音色可変ペダル（操作部）
【図１】
2007225784.tif 000003
【図２】
2007225784.tif 000004
【図３】
2007225784.tif 000005
【図４】
2007225784.tif 000006
【図５】
2007225784.tif 000007
【図６】
2007225784.tif 000008